(57)【要約】    【課題】  ドライアイスの使用量増加に頼ることなく、遺体の顔色の変色を防ぐことができ、その結果、柩の窓を開けて最後の別れをしようとする遺族や親族に対して違和感を与えないようにし得る遺体安置方法及び遺体支持具を提供する。    【解決手段】  少なくとも遺体の頭部及びその頭部より下方の他部（肩部、腰部）を支持して遺体を安置する遺体安置方法であって、頭部から他部にかけて、頭部がその他部よりも高くなるように頭部及び他部を起こして（遺体支持具３を使用）遺体を安置する、すなわち、遺体の上体を起こすことで、遺体頭部に血液や流出物が溜まるのを防ぐことで遺体の腐敗を抑制するとともに、遺族が柩１の窓２を開けたときに、遺体と遺族との距離をより近づけることができる。【選択図】          図１
2005296174.tif 000002
【特許請求の範囲】
【請求項１】
少なくとも遺体の頭部及び当該頭部より下方の他部を支持して遺体を安置する遺体安置方法であって、
前記頭部から前記他部にかけて、当該頭部が当該他部よりも高くなるように当該頭部及び当該他部を起こして遺体を安置することを特徴とする遺体安置方法。
【請求項２】
少なくとも遺体の頭部及び当該頭部より下方の他部を支持して遺体を安置する遺体安置方法であって、
漸増するスロープ面を有する遺体支持具を用いて、頭部が他部よりも高くなるように前記頭部及び前記他部を起こして遺体を安置することを特徴とする遺体安置方法。
【請求項３】
柩の底部内面に設置された前記遺体支持具を用いて遺体を安置することを特徴とする請求項２に記載の遺体安置方法。
【請求項４】
前記他部は、肩部又は腰部であることを特徴とする請求項１から３のいずれかに記載の遺体安置方法。
【請求項５】
請求項２又は３に記載の遺体安置方法に用いられる遺体支持具。
【発明の詳細な説明】
【技術分野】
【０００１】
本発明は、家庭の祭壇の柩などに安置された遺体安置方法及びその遺体安置方法に用いられる遺体支持具に関するものである。
【背景技術】
【０００２】
従来より、故人の遺体は、葬儀（告別式）を執り行うために死亡後数日間、柩の中に安置される。そして、告別式が終了した後、柩ごと焼却され火葬にふされる。
【０００３】
また、納柩から火葬にふされるまでの間に、遺体の顔色が変色するのを防ぐために、柩内にドライアイスを充填するのが一般的である。しかし、ドライアイスを充填することで遺体の顔色が変色するのを防いだ場合には、そのドライアイスによる結露・露出によって故人の遺体の顔が低温火傷による損傷を起こしたり、又は化粧（いわゆる死化粧）がのりにくくなり、ひいては柩の窓を開けて最後の別れをしようとする遺族や親戚に対して違和感を与えるといった問題があった。
【０００４】
そこで、近年になって、ドライアイスを削減しつつ遺体の変色を防ぐ様々な遺体の保存方法が提案されている。例えば、柩の蓋部に冷却装置を組み込んでドライアイスの充填を不要にしたり、冷却ユニットを柩の蓋部に配設して遺体を効果的かつ長時間にわたって保冷したり、冷風装置が配設された柩台を用いることでドライアイスを使用することなく遺体の変色を防いだりしている。
【０００５】
また、例えば特許文献１に記載の発明のように、木酢液を含浸させた木炭粒子とセラミックスとを混合した粒子を封入した葬儀用マットと枕を用いることで、ドライアイスを全く用いることなく、遺体の細胞を生前同様に活性化させて遺体の腐敗・変色を防止するものもある。このように、ドライアイスの使用量を削減しつつ、遺体の変色を防ぐ様々な試みがなされている。
【０００６】
また、例えば特許文献２に記載の発明のように、被葬者の身長増加に対応し得る棺桶を提供すべく、遺体を傾斜部に沿って身体がくの字状に曲がった状態で寝かせて収容するものもある。
【０００７】
【特許文献１】特開平１０−５２９３号公報（段落番号［０００８］、［００１６］、図１）
【特許文献２】実用新案登録第３０８１３０１号公報（段落番号［０００４］、［００１０］、［００２１］）
【発明の開示】
【発明が解決しようとする課題】
【０００８】
しかしながら、上述した従来技術は、冷却装置、冷却ユニット、冷風装置といった高価な電気機器が必要になるため、ドライアイスの使用量を減らして遺体の変色を防ぐ方法を一般公衆に安価に提供できない、という問題がある。また、特許文献１に記載の発明も、木酢液を含浸させた木炭粒子とセラミックスを用いるため、それらを入手すること自体にコストがかかり、上述した従来技術同様、ドライアイスの使用量を減らして遺体の変色を防ぐ方法を一般公衆に安価に提供できない、という問題がある。
【０００９】
このように、上述した従来技術及び特許文献１記載の発明は、遺体を良好な状態で安置・保存し得るものであるが、いずれも、当業者が採用するのに躊躇する製造コストの問題を抱えている。
【００１０】
一方で、製造・販売コストの問題を考慮して、ドライアイスの使用量を増やすことで遺体の顔色の変色を防ごうとすると、上述のとおり、故人の遺体の顔に死化粧がのりにくく、その結果、故人の自然で美しい寝姿を見ることができず、ひいては柩の窓を開けて最後の別れをしようとする遺族や親戚に対して違和感を与えることになる。
【００１１】
また、特許文献２に記載の発明は、棺桶の妻板側が高くなった対向した傾斜部を用いたり、着脱可能な傾斜部を用いたりと、２つの傾斜面によって遺体をくの字状に曲がった状態で収容することを着想したものであって、１つの傾斜部（傾斜面）によって遺体を収容することを着想したものではなく、さらに、長身の被葬者でなければくの字状に収容する利点がないものとなる（長身ではない一般的な身長では不自然な収容状態になる）。特に、幼児・子供など短身の遺体を収容する場合には、くの字状にする利点はなく、一方で、上体を起こす本発明においては、短身で小さい遺体が柩に納められているという印象を払拭させ、柩の中にいるものの違和感なく眠っているという心理的な安らぎを遺族に与えるものである。
【００１２】
このように、本発明者は、遺体の変色を防ぎ、違和感の少ない遺体安置方法を着想するに至った。
【課題を解決するための手段】
【００１３】
以上のような課題を解決するために、本発明は、以下のものを提供する。
【００１４】
（１）  少なくとも遺体の頭部及び当該頭部より下方の他部を支持して遺体を安置する遺体安置方法であって、前記頭部から前記他部にかけて、当該頭部が当該他部よりも高くなるように当該頭部及び当該他部を起こして遺体を安置することを特徴とする遺体安置方法。
【００１５】
本発明によれば、少なくとも遺体の頭部及びその頭部より下方の他部を支持して遺体を安置する場合において、頭部から他部にかけて、頭部が他部よりも高くなるように頭部及び他部を起こして遺体を安置することとしたから、遺体頭部の血液がそこに溜まるのを防いだり、遺体頭部に血液や流出物が溜まるのを防ぎ、その結果、遺体の腐敗を抑制することができる。例えば、遺体の頭部及び肩部を起こしたり、遺体の頭部及び腰部を起こしたりと、遺体の上体を起こす遺体安置方法が考えられる。
【００１６】
従って、顔面周辺部のドライアイスを減らしても、遺体顔面の変色進行を防ぐことができ、ひいては遺族や親戚が柩の窓を開けて遺体顔面を見たときに違和感を少なくすることができる。
【００１７】
また、顔面周辺部のドライアイスを減らすことで、ドライアイスに起因した結露や露出が少なくなるため、死化粧ののりをよくすることができ、その結果、遺体顔面の血色を良好な状態にすることができる。
【００１８】
ここで、特許文献１記載の発明によれば、枕によって頭部が持ち上げられているため、結果として、遺体の頭部に血液が溜まるのを防ぐことができるとも考えられる。しかしながら、特許文献１記載の発明は枕によって頭部のみを持ち上げるものであるため、首部に血液が溜まってしまい、遺族や親戚が柩の窓を開けたときに違和感を与える結果となる。本発明は、頭部以外の他部(肩部や腰部など)をも持ち上げることによって、遺体顔面の変色進行を防ぐとともに、遺族や親戚が柩の窓を開けたときに違和感を与えないようにすることができる。
【００１９】
また、本発明は、遺体の頭部から他部にかけて、頭部が他部よりも高くなるように頭部及び他部を起こして遺体を安置するものであるから、柩に遺体を安置している状態において柩の窓を開けたときに、遺体と遺族との距離を近づけることができ、ひいては遺族に心理的な慰めを与えることができる。さらに、遺体上体が傾斜して少し起こされた状態となっているので、顎が引かれると共に、口が開き難くなり、口や鼻、耳から液体（胃や肺からの流出物）が吐出するのを防ぐこともできる。
【００２０】
さらに、頭部が他部よりも高くなるように頭部及び他部を起こしているので、身体のうちで頭部が一番高くなる状態で遺体が起こされた状態となり、自然な起こされ方となる。
【００２１】
なお、本発明を適用するに当たって、高価な電気機器や特殊材料は不要であるため、ドライアイスの使用量を減らして遺体の顔色の変色を防ぐ方法を一般公衆に安価に提供することも可能になる。
【００２２】
（２）  少なくとも遺体の頭部及び当該頭部より下方の他部を支持して遺体を安置する遺体安置方法であって、漸増するスロープ面を有する遺体支持具を用いて、頭部が他部よりも高くなるように前記頭部及び前記他部を起こして遺体を安置することを特徴とする遺体安置方法。
【００２３】
本発明によれば、少なくとも遺体の頭部及びその頭部より下方の他部を支持して遺体を安置する場合において、漸増するスロープ面を有する遺体支持具を用いて、頭部が他部よりも高くなるように頭部及び他部を起こして遺体を安置することとしたから、遺体頭部の血液がそこに溜まるのを防ぐことができ、遺体顔面の変色進行を防ぐことができ、ひいては遺族や親戚が柩の窓を開けたときに違和感を与えないようにすることができる。
【００２４】
ここで、「遺体支持具」は漸増するスロープ面を有しており、階段状に形成された遺体支持具と違って、遺体の見た目を自然にすることができる。その結果、故人の自然で美しい寝姿を見ることができ、遺族に心理的な慰めを与えることができる。
【００２５】
（３）  柩の底部内面に設置された前記遺体支持具を用いて遺体を安置することを特徴とする（２）に記載の遺体安置方法。
【００２６】
本発明によれば、柩の底部内面に設置された前記遺体支持具を用いて遺体を安置することとしたから、製造容易かつ低コストで、顔色の変色を防ぐことが可能な遺体の安置方法を提供することができる。
【００２７】
（４）  前記他部は、肩部又は腰部であることを特徴とする（１）から（３）のいずれかに記載の遺体安置方法。
【００２８】
本発明によれば、上述した他部は、肩部或いは腰部であることとしたから、遺体の上体が起こされた状態となるので、遺族が柩の窓を開けたときに、遺体と遺族との距離をより近づけることができ、その結果、遺族に心理的な慰めを与えることができる。すなわち、柩１に遺体を収容した場合は、頭部（１５ｃｍ）が柩１の中にスッポリと入ってしまい、故人が柩の中に入れられているという印象を与えることになるが、遺体支持具を用いて故人の頭部を上方へ持ち上げることにより、頭部の深さ位置を小さくすることができるので、故人が柩の中に入れられているという印象をなくすことができるのである。
【００２９】
このように、本発明は、遺体が柩の中に入れられているという印象を与えることのないような遺体安置方法を提供するものであって、長身の遺体を既存の棺桶に収容する着想とは異なるばかりではなく（特許文献２参照）、遺体の上体を起こすことで、顎が引かれると共に、口が開き難くなり、口や鼻、耳から液体（胃や肺からの流出物）が吐出するのを防ぐことができたり、故人の自然で美しい寝姿を見ることができ、遺族に心理的な慰めを与えることができる。
【００３０】
（５）  （２）又は（３）に記載の遺体安置方法に用いられる遺体支持具。
【００３１】
本発明によれば、遺体安置に用いられる遺体支持具によって、納柩された遺体の顔色の変色を防ぐことが可能である。また、この遺体支持具をダンボール等の安価な材料で製作することにより、一般公衆に安価に提供することができる。また、この遺体支持具は、何の細工も施されていない既存の柩に簡単に適用することができる。
【発明の効果】
【００３２】
以上説明したように、本発明は、遺体の頭部の方が、その頭部より下方の他部よりも高くなるように、頭部及び他部を起こして遺体を安置するので、血液が頭部や首部に溜まるのを防ぐことができ、ひいては遺体の顔色の変色を防ぐことができる。
【発明を実施するための最良の形態】
【００３３】
以下、本発明の実施の形態を、図面を参照しながら説明する。
【００３４】
［概観図］
図１は、本発明の実施の形態に係る遺体安置方法を使用したときの概観図である。
【００３５】
図１において、遺体を安置する柩１には遺体のぞき窓２が設けられており、遺族や親戚がその遺体のぞき窓２を開けると、遺体の顔面周辺部（頭部や首部など）が視認できるようになっている。
【００３６】
そして、遺体の頭部及び肩部の下には遺体支持具３が敷かれており、遺体の頭部及び肩部が上方へ持ち上げられている。すなわち、遺体のぞき窓２の下方に、遺体の頭部を介して遺体支持具３が置かれている。
【００３７】
これにより、血液を胸部又は腹部の方へ流し、顔面周辺部のドライアイスを減らしても、遺体の顔色の変色をある程度防止することができるとともに、死化粧ののりをよくし、遺体の顔の血色を良好な状態にすることができる。
【００３８】
また、頭部だけでなく肩部をも支持する遺体支持具３を遺体の下に敷くことで、遺族や親戚は、遺体のぞき窓２を開けたときに、故人を自然な状態で身近に感じることができ、ひいては心理的な慰めを享受することができる。
【００３９】
なお、柩１の内寸は、例えば、長さ１７５〜１９０ｃｍ、巾４３〜４８ｃｍ、高さ３５ｃｍである。この場合、高さ３５ｃｍの柩１に遺体を収容した場合は、頭部（１５ｃｍ）が柩１の中にスッポリと入ってしまい、故人が柩の中に入れられているという印象を与えることになるが、遺体支持具３を用いて故人の頭部を上方へ持ち上げることにより、頭部の深さ位置を小さくすることができるので、故人が柩の中に入れられているという印象をなくすことができる。
【００４０】
次に、本発明の実施の形態に係る遺体支持具３の構造について詳述する。
【００４１】
［遺体支持具］
図２は、本発明の実施の形態に係る遺体支持具３の構造の一例を説明するための図であって、（ａ）はスロープ部材３ａ、（ｂ）は支持部材３ｂ、（ｃ）は、（ａ）のスロープ部材１個と、（ｂ）の支持部材５個から構成される遺体支持具３を示している。
【００４２】
図２（ａ）において、遺体支持具３のスロープ部材３ａは、長方形のダンボール紙からなり、このスロープ部材３ａ中、左端と右端には、それぞれ５本の切れ込みが入っている。また、縦の点線は、折り曲げラインを示している。
【００４３】
図２（ｂ）において、遺体支持具３の支持強度を高めるための支持部材３ｂは、底辺部に２本の切れ込みが入っている。
【００４４】
図２（ｃ）において、スロープ部材３ａを折り曲げラインにそって折り曲げ、各切れ込みに、５個の支持部材３ｂの切れ込みを嵌着させることで、図３（ｃ）に示す遺体支持具３が完成する。
【００４５】
ここで、本発明の実施の形態では、遺体支持具のスロープ部材３ａ及び支持部材３ｂとしてダンボール紙を用いることとしたが、本発明はこれに限られない。すなわち、木製であってもよいし、プラスチック製であってもよいし、アルミ製であってもよいし、その種類の如何は問わない。
【００４６】
また、本発明の実施の形態では、なるべく少ない材料で高い支持強度の確保を目的として、図２に示すような遺体支持具３の構造としたが、本発明の趣旨を逸脱しない範囲で設計変更可能である。すなわち、支持強度を高めるべく、図２（ｂ）に示す支持部材３ｂを１０本にしてもよい。また、図２（ｂ）に示す支持部材３ｂを、スロープ部材３ａの一辺（図２では長辺）と平行に整列させるだけではなく、これと直角に整列させるようにしてもよい。さらに、スロープ部材３ａの一辺と平行・直角に整列させるだけでなく、スロープ部材３ａの対角線方向にも整列させるようにしてもよい。
【００４７】
さらに、本発明の実施の形態では、遺体の頭部の下に遺体支持具３のみを敷くこととしたが、勿論、枕と併せて用いることとしてもよい。図３は、本発明の実施の形態に係る遺体支持具３と枕４とを同時に使用する様子を示す図である。（ａ）は、布団がかけられた遺体の頭部の下に枕４のみが敷かれた様子を示す図であり、（ｂ）は、布団がかけられた遺体の頭部の下に枕４と遺体支持具３の両方が敷かれた様子を示す図である。
【００４８】
図３に示す安置方法によれば、遺体の頭部を起こして安置していることから、血液が遺体頭部に溜まるのを防ぐことができ、ひいては遺体顔面の変色進行を妨げることができる。すなわち、図３（ａ）では、頭がもたれて遺体の顎が開いた状態となっており、この状態で遺体を納棺すると、柩の中に遺体が沈み込む格好となるが、図（ｂ）では、頭部及び肩部（腰部）を持ち上げて上体を起こしているので、顎がしまった自然な寝姿となる。
【００４９】
［変形例］
図４は、本発明の他の実施の形態に係る遺体安置方法を使用したときの概観図である。図４において、遺体は、柩の中ではなく（図１参照）、病院等のベッドの上に安置されている。すなわち、本発明は、ベッドや畳といった柩の中以外の場所に安置された遺体に対しても適用することが可能である。
【００５０】
図５は、本発明の他の実施の形態に係る遺体安置方法を使用したときの概観図である。本発明に係る遺体安置方法は、遺体の頭部から他部（背中や腰）にかけて、頭部が他部よりも高くなるように頭部及び他部を起こして遺体を安置するものであるから、例えば図５に示すように、遺体支持具３と同形（或いは相似形）の凸部を有する柩１を用いることも可能である。これにより、柩１と遺体支持具３とが分離するのを防ぐことができ、ひいては遺体顔面の変色を防ぐとともに運搬に便利な柩を提供することができる。
【００５１】
図６は、本発明の他の実施の形態に係る遺体支持具３の外観図である。上述した遺体支持具３（図１〜図５参照）は、遺体の肩部を支持する部分から、遺体の頭部を支持する部分にかけて高さが漸増するスロープ面を有するものであるが、本発明はこれに限定されることなく、例えば、図６に示すように階段面を有するものであってもよい。
【００５２】
図７は、本発明の他の実施の形態に係る遺体支持具３の外観図である。上述した遺体支持具３（図１〜図５参照）は、遺体の頭部及び肩部の下に敷かれているが、本発明はこれに限定されることなく、例えば、図７に示すように遺体の頭部・肩部・腰部の下に支持部材が敷かれるようにしてもよい。
【産業上の利用可能性】
【００５３】
本発明に係る遺体安置方法及び遺体支持具は、遺体の頭部と肩部等を起こすことで、遺体の顔色の変色を防ぐことができるものとして有用である。
【図面の簡単な説明】
【００５４】
【図１】本発明の実施の形態に係る遺体安置方法を使用したときの概観図である。
【図２】本発明の実施の形態に係る遺体支持具の構造の一例を説明するための図である。
【図３】本発明の実施の形態に係る遺体支持具と枕とを同時に使用する様子を示す図である。
【図４】本発明の他の実施の形態に係る遺体安置方法を使用したときの概観図である。
【図５】本発明の他の実施の形態に係る遺体安置方法を使用したときの概観図である。
【図６】本発明の他の実施の形態に係る遺体支持具の外観図である。
【図７】本発明の他の実施の形態に係る遺体支持具の外観図である。
【符号の説明】
【００５５】
１  柩
２  遺体のぞき窓
３  遺体支持具
３ａ  スロープ材
３ｂ  支持部材
４  枕
【図１】
2005296174.tif 000003
【図２】
2005296174.tif 000004
【図３】
2005296174.tif 000005
【図４】
2005296174.tif 000006
【図５】
2005296174.tif 000007
【図６】
2005296174.tif 000008
【図７】
2005296174.tif 000009